(57)【要約】      （修正有）【課題】壁面の背面側に便器洗浄タンクを容易に取り付けることができる壁掛けタイプの便器装置を提供する。【解決手段】壁面の前面に取り付けられる便器と、壁面の背面側に設置される便器洗浄タンク４と、を備える便器装置であって、便器洗浄タンク４は、洗浄水を貯留するタンク本体４１と、タンク本体４１の下部に設けられるベースプレート４３と、ベースプレート４３の幅方向の両端面４３ａにそれぞれ取り付けられるタンク取付け部材４５と、を有し、壁面の背面側に設けられるタンク取付けフレームに対して、タンク取付け部材４５によって取り付けられる。【選択図】図４
2019190250.tif 000002
【特許請求の範囲】
【請求項１】
壁面の前面に取り付けられる便器と、前記壁面の背面側に設置される便器洗浄タンクと、を備える便器装置であって、
前記便器洗浄タンクは、洗浄水を貯留するタンク本体と、前記タンク本体の下部に設けられるベースプレートと、前記ベースプレートの幅方向の両端面にそれぞれ取り付けられるタンク取付け部材と、を有し、前記壁面の背面側に設けられるタンク取付けフレームに対して、前記タンク取付け部材によって取り付けられる、便器装置。
【請求項２】
前記タンク取付け部材は、前記ベースプレートの幅方向の外側に向けて延びる取付け脚部を有し、前記取付け脚部によって前記タンク取付けフレームに対して取り付けられる、請求項１に記載の便器装置。
【請求項３】
前記取付け脚部は、固定部材挿通用の長穴を有する、請求項２に記載の便器装置。
【請求項４】
前記タンク取付け部材は、前記ベースプレートの前記両端面にそれぞれ設けられた凸部又は凹部に係合して取り付けられる、請求項１〜３のいずれか１項に記載の便器装置。
【発明の詳細な説明】
【技術分野】
【０００１】
本発明は、便器装置に関する。
【背景技術】
【０００２】
従来、便器と、便器に洗浄水を供給する便器洗浄タンクと、を備える便器装置が知られている（例えば、特許文献１参照）。この特許文献１に記載の技術では、便器洗浄タンクは、便器洗浄タンクの下面に設けられた固定プレートによって、便器本体の上面に固定される。
【先行技術文献】
【特許文献】
【０００３】
【特許文献１】特開２０１０−７４５１号公報
【発明の概要】
【発明が解決しようとする課題】
【０００４】
便器装置としては、壁面の前面に便器が取り付けられる壁掛けタイプの便器装置も知られている。壁掛けタイプの便器装置において、洗浄水を便器洗浄タンクから供給するタンク式とする場合は、便器洗浄タンクを立壁面の背面側に配置することにより、壁面の背面側から便器に洗浄水を供給する構成とすることが望ましい。便器洗浄タンクを隠蔽すると共に、壁から便器洗浄タンクまでの間に空間ができるため、給排水管を通すことができる。
【０００５】
しかし、便器洗浄タンクを壁面の背面側に配置する場合、タンク取付け面となる便器本体の上面が存在しないため、便器洗浄タンクの固定が困難であるという問題があった。
【０００６】
本発明は、壁面の背面側に便器洗浄タンクを容易に取り付けることができる壁掛けタイプの便器装置を提供することを目的とする。
【課題を解決するための手段】
【０００７】
（１）  本発明に係る便器装置は、壁面（例えば、後述の前壁面Ｐ１）の前面に取り付けられる便器（例えば、後述の便器２）と、前記壁面の背面側に設置される便器洗浄タンク（例えば、後述の便器洗浄タンク４）と、を備える便器装置（例えば、後述の便器装置１）であって、前記便器洗浄タンクは、洗浄水を貯留するタンク本体（例えば、後述のタンク本体４１）と、前記タンク本体の下部に設けられるベースプレート（例えば、後述のベースプレート４３）と、前記ベースプレートの幅方向の両端面（例えば、後述の端面４３ａ）にそれぞれ取り付けられるタンク取付け部材（例えば、後述のタンク取付け部材４５）と、を有し、前記壁面の背面側に設けられるタンク取付けフレーム（例えば、後述のタンク取付けフレーム１０３）に対して、前記タンク取付け部材によって取り付けられる。
【０００８】
（２）  （１）に記載の便器装置において、前記タンク取付け部材は、前記ベースプレートの幅方向の外側に向けて延びる取付け脚部（例えば、後述の取付け脚部４５３）を有し、前記取付け脚部によって前記タンク取付けフレームに対して固定されることが好ましい。
【０００９】
（３）  （２）に記載の便器装置において、前記取付け脚部は、固定部材挿通用の長穴（例えば、後述のねじ穴４５４）を有することが好ましい。
【００１０】
（４）  （１）〜（３）のいずれかに記載の便器装置において、前記タンク取付け部材は、前記ベースプレートの前記両端面にそれぞれ設けられた凸部（例えば、後述の凸部４３ｃ）又は凹部に係合して取り付けられることが好ましい。
【発明の効果】
【００１１】
本発明によれば、壁面の背面側に便器洗浄タンクを容易に取り付けることができる壁掛けタイプの便器装置を提供することができる。
【図面の簡単な説明】
【００１２】
【図１】本発明に係る便器装置の前面側の斜視図である。
【図２】本発明に係る便器装置の背面側の斜視図である。
【図３】本発明に係る便器装置の便器洗浄タンクの内部を示す平面図である。
【図４】便器洗浄タンクの一部を分解して示す斜視図である。
【図５】便器洗浄タンクの下部構造を拡大して示す断面図である。
【図６】便器洗浄タンクのタンク取付け部材を拡大して示す側面図である。
【図７】便器洗浄タンクの取付け構造を拡大して示す斜視図である。
【発明を実施するための形態】
【００１３】
本実施形態に示す便器装置１は、図１に示すように、床面ｆ１と壁面ｆ２とに亘る逆Ｌ字状の壁パネルＰを有する。壁パネルＰは、前壁面Ｐ１と上壁面Ｐ２とで構成される。便器２は、壁パネルＰの前壁面Ｐ１の前面に取り付けられている。なお、以下の説明において、便器２に着座した使用者から見た場合の前後の向きを前後方向とする。また、便器２に着座した使用者から見た場合の左右の向きを幅方向とする。更に、床面ｆ１に対する鉛直方向に沿う上下の向きを上下方向とする。
【００１４】
便器２は、便器本体２１と、便器本体２１の上部に回動可能に取り付けられる便座２２と、を有する。便器本体２１は、図２に示すように、壁パネルＰの背面側に設けられた略Ｈ型の便器固定スタンド１０１によって支持されている。便器本体２１の後部の両側面には、それぞれサイドカバー２１１が面ファスナー等によって着脱可能に取り付けられ、便器本体２１の後部を遮蔽している。便器固定スタンド１０１の間には、便器本体２１に接続される排水管１０２が配置されている。
【００１５】
便器２の上方の前壁面Ｐ１には、図１に示すように、背凭れ板３ａが取り付けられ、その背凭れ板３ａの一側方に手摺部３ｂが前方に突出するように取り付けられている。この手摺部３ｂは、手摺取付け部３ｃに、上方に回動可能に取り付けられている。また、背凭れ板３ａの他側方には、便器洗浄等を操作するための操作スイッチ３ｄが取り付けられている。
【００１６】
便器２を洗浄するための便器洗浄タンク４は、図２に示すように、前壁面Ｐ１の背面側に配置されている。便器洗浄タンク４は、図４に示すように、タンク本体４１と、内蓋４２と、ベースプレート４３と、防露材４４と、備えている。
【００１７】
タンク本体４１は、ブロー成形品からなる。ブロー成形されたタンク本体４１の上面開口部４１１（図２参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、上下方向に沿って真っ直ぐな面となり、床面ｆ１に対して垂直に延びた側壁面を構成することができる。これにより、タンク本体４１は、抜き勾配に起因するタンク容積の減少が少なく、奥行き寸法を小さくして薄型化しても、射出成形品に比べてタンク容積を大きく確保することが可能である。
【００１８】
タンク本体４１の内部には洗浄水が貯留されると共に、図３に示すように、便器洗浄用の内部部品が収容されている。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、自動洗浄用の駆動ユニット４ｇが連結されている。
【００１９】
内蓋４２は、タンク本体４１の上面開口部４１１（図２参照）を被蓋するようにタンク本体４１に対してねじ止めされている。具体的には、内蓋４２は、内蓋本体４２１と、点検蓋４２２とで構成される。内蓋本体４２１は、上面開口部４１１の全周に沿って装着され、タンク本体４１に対してねじ止めされる。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００２０】
ベースプレート４３は、タンク本体４１の下部に取り付けられている。ベースプレート４３は、タンク本体４１よりも硬質な樹脂によって形成され、タンク本体４１の底面形状に略等しい平面形状を有している。ベースプレート４３は、タンク本体４１の下面を支持すると共に、詳細には後述するタンク取付け部材４５によって、図２に示すように、タンク取付けフレーム１０３に取り付けられることにより、タンク本体４１をタンク取付けフレーム１０３に固定する機能を有する。
【００２１】
タンク本体４１とベースプレート４３との取付け構造を図５に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図５において図示せず）の弁座を構成する部品であり、下面開口部４１３よりも大径なフランジ部４６１を有している。弁座シート４６は、フランジ部４６１とタンク本体４１との間にパッキン４６ａを挟んで、タンク本体４１の内側から装着されている。
【００２２】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００２３】
一方、ベースプレート４３の中央部には、円形の開口部４３２が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２４】
弁座シート４６の円筒部４６２内には、接続ソケット４７の上端側の大径部４７１が、Ｏリング４７ａによって水密状に挿入されている。接続ソケット４７の下端側は小径に形成され、便器本体２１に向けて洗浄水を供給する洗浄水供給管１０４に対して袋ナット４７ｂによって取り付けられている。これにより、タンク本体４１と洗浄水供給管１０４とが接続ソケット４７を介して接続され、タンク本体４１内の洗浄水を便器本体２１に供給可能とされている。
【００２５】
なお、接続ソケット４７は、支持板４８によってベースプレート４３に固定されている。支持板４８は、接続ソケット４７の大径部４７１よりも小径な開口部４８１を有する。支持板１８は、開口部４８１に接続ソケット４７の下端側を挿通させることにより、接続ソケット４７を弁座シート４６の円筒部４６２内に保持している。これにより、例えば便器洗浄タンク４に振動が加わるようなことがあっても、円筒部４６２と接続ソケット４７との適正な接続状態を維持することができる。
【００２６】
防露材４４は、発泡スチロール樹脂等により、タンク本体４１の外周面に沿った形状に成形されている。本実施形態に示す防露材４４は、前側防露材４４１と後側防露材４４２とに２分割され、タンク本体４１を前後方向から挟むようにタンク本体４１の外周面に装着されている。防露材４４は、少なくともタンク本体４１内に貯留される洗浄水の水位に対応する高さを有する。
【００２７】
この防露材４４では、前側防露材４４１と後側防露材４４２とに前後方向に２分割されているため、成形型から離型するための抜き勾配が前後方向に設けられ、上下方向には設けられない。これにより、前側防露材４４１と後側防露材４４２とが組み合わされて構成される防露材４４は、便器洗浄タンク４の前面側及び後面側において上下方向に沿って垂直に延びる面を形成することができる。その結果、便器洗浄タンク４を薄型化しても、防露材の上下方向の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図ることが可能である。
【００２８】
タンク取付け部材４５は、金属製の板部材からなり、ベースプレート４３に固定される取付け部材本体４５１と、この取付け部材本体４５１の上端部の前側及び後側からそれぞれ上方に延びる一対の挟持片４５２と、取付け部材本体４５１の下端に設けられるＬ字型の取付け脚部４５３と、を一体に有している。一対の挟持片４７２は、便器洗浄タンク４の防露材４４の下部側を前後から挟むことができるように前後に離間して配置されている。
【００２９】
取付け部材本体４５１は、ベースプレート４３の端面４３ａと略同形状に形成され、前後方向の中央部（タンク取付け部材４５の幅方向の中央部）において、１つの固定ねじ４５ａによってベースプレート４３に固定されている。取付け部材本体４５１の前端側及び後端側には、矩形状の凹部４５１ａがそれぞれ形成されている。凹部４５１ａは、取付け部材本体４５１の前端縁及び後端縁から、それぞれ中央部の固定ねじ４５ａに向けて凹むように切り欠かれることによって形成されている。
【００３０】
ベースプレート４３の端面４３ａは、取付け部材本体４５１の幅に相当する幅で僅かに凹んでいる。これにより、図６に示すように、ベースプレート４３の端面４３ａの前端側及び後端側に、上下方向に沿って取付け部材本体４５１を前後から挟むように配置される一対の壁部４３ｂがそれぞれ形成されている。また、これら一対の壁部４３ｂの内側には、壁部４３ｂと一体の矩形状の凸部４３ｃがそれぞれ突設されている。凸部４３ｃは、固定ねじ４５ａを間に挟んで前後方向の対称位置に配置されている。これらの壁部４３ｂ及び凸部４３ｃは、ベースプレート４３の反対側の端面４３ａにも同様に設けられている。
【００３１】
タンク取付け部材４５は、取付け脚部４５３が外側を向くようにベースプレート４３の両端面４３ａにそれぞれ当接され、１つの固定ねじ４５ａによってベースプレート４３に固定されている。タンク取付け部材４５は、ベースプレート４３に対して凸部４３ｃと凹部４５１ａとによって凹凸係合するため、１つの固定ねじ４５ａのみによって固定されていても、固定ねじ４５ａを中心として回動することが防止され、ベースプレート４３に対する取付け状態を強固に維持することができる。このため、タンク本体４１がベースプレート４３に対して前後方向に振動するようなことがあっても、固定ねじ４５ａに負荷を与えることがなく、その振動を、挟持片４５２を介して取付け部材本体４５１で確実に受け止めることができる。
【００３２】
ベースプレート４３に取り付けられたタンク取付け部材４５の一対の挟持片４５２は、防露材４４の前側及び後側に配置される。これにより、防露材４４の下部側が前後方向から挟持され、前側防露材４４１と後側防露材４４２との前後への開きが阻止される。また、防露材４４の上部側は、図４に示すように、前側防露材４４１と後側防露材４４２とに亘って設けられる連結部材４４３によって連結されている。連結部材４４３は、前側防露材４４１と後側防露材４４２との突合せ面にそれぞれ設けられた挿入穴（図示せず）にそれぞれ差し込まれることにより、突合せ面を跨ぐように配置される。これにより、前側防露材４４１と後側防露材４４２とが一体に連結され、防露材４４の上部側においても、前側防露材４４１と後側防露材４４２との前後への開きが阻止される。
【００３３】
ベースプレート４３にタンク取付け部材４５が取り付けられた便器洗浄タンク４は、便器固定スタンド１０１上に幅方向に沿って設けられたタンク取付けフレーム１０３に取り付けられる。具体的には、便器洗浄タンク４は、図７に示すように、タンク取付け部材４５の取付け脚部４５３をタンク取付けフレーム１０３上に載置させ、取付け脚部４５３に設けられたねじ穴４５４に固定ねじ（固定部材）４５ｂを挿通させることによってタンク取付けフレーム１０３上に固定される。取付け脚部４５３は、便器洗浄タンク４の側方に張り出すように設けられているため、ねじ穴４５４及びそのねじ穴４５４に挿通される固定ねじ４５ｂへのアクセスが、便器洗浄タンク４自身や洗浄水供給管１０４等に邪魔されることなく容易に可能となる。このため、壁掛けタイプの便器装置１においても、前壁面Ｐ１の背面側に便器洗浄タンク４を容易に取り付けることができる。
【００３４】
図７に示すように、本実施形態に示す取付け脚部４５３のねじ穴４５４は、幅方向に沿って長尺な長穴からなる。このため、便器本体２１や洗浄水供給管１０４の取付け公差等によって、便器本体２１や洗浄水供給管１０４に対する位置ずれが生じても、その位置ずれをねじ穴４５４によって吸収することができる。しかも、ねじ穴４５４が長穴であることにより、ねじ穴４５４を通して、タンク取付けフレーム１０３のねじ穴（図示せず）の位置を目視可能となるため、タンク取付けフレーム１０３に対する便器洗浄タンク４の位置決めも容易に行える。
【００３５】
以上の実施形態では、タンク取付け部材４５とベースプレート４３との係合構造において、２つずつの凸部４３ｃと凹部４５１ａとを設けるようにしたが、凸部４３ｃと凹部４５１ａとは１つずつでもよい。また、ベースプレート４３に凹部を設け、タンク取付け部材４５に凸部を設けてもよい。更に、タンク取付け部材４５とベースプレート４３との係合構造は、ボス部とボス穴とによる嵌合構造でもよい。
【符号の説明】
【００３６】
１  便器装置
２  便器
４  便器洗浄タンク
４１  タンク本体
４３  ベースプレート
４３ａ  （ベースプレートの幅方向の）端面
４３ｃ  凸部
４５  タンク取付け部材
４５３  取付け脚部
４５４  ねじ穴（長穴）
１０３  タンク取付けフレーム
Ｐ１  前壁面（壁面）
【図１】
2019190250.tif 000003
【図２】
2019190250.tif 000004
【図３】
2019190250.tif 000005
【図４】
2019190250.tif 000006
【図５】
2019190250.tif 000007
【図６】
2019190250.tif 000008
【図７】
2019190250.tif 000009